(57)【要約】      （修正有）【課題】大きくて重い前面パネルであっても円滑な駆動を可能とした床置型空気調和機を提供する。【解決手段】筐体の前面を覆う前面パネル６と、前面パネル６を前方に移動させるパネル駆動手段１２とを備え、前記パネル駆動手段１２は、筐体側に取り付けたベース部材２４と、ベース部材２４に設けた電動機を有する駆動部２１と、駆動部２１によって回転駆動されるアーム２２ａ、２２ｂ、２２ｃ、２２ｄと、アームと可動自在に連係して当該アームの回動により前後方向にスライドするパネル支持部材２３とを備え、前記パネル支持部材は前面パネルの上下ほぼ全長にわたる長さとして前面パネルに取り付けた構成としてある。これにより、前面パネルは大きくて重いパネルであっても電動機による駆動時にがたつくことなく円滑に前後動することができる。【選択図】図１０
2020193802.tif 000002
【特許請求の範囲】
【請求項１】
熱交換機能及び送風機能を備えた筐体と、前記筐体の前面を覆う前面パネルと、前記前面パネルを前方に移動させるパネル駆動手段とを備え、前記パネル駆動手段は、前記前面パネルを前後方向にスライド自在に保持する前記筐体側に取り付けたベース部材と、前記ベース部材に嵌合して前後方向にスライドする如く保持されているベース部材嵌合部と、電動機を有する駆動部と、前記駆動部によって回転駆動されるアームと、前記アームと可動自在に連係して当該アームの回動により前後方向にスライドするパネル支持部材とを備え、前記ベース部材嵌合部は前記パネル支持部材の略中央部分に設け、前記パネル支持部材は前記アームの端部が可動自在に連係することができる縦長の案内溝が設けられ、かつ、前記前面パネルの上下ほぼ全長にわたる長さとして前記前面パネルに取り付けた床置型空気調和機。
【請求項２】
パネル支持部材は前面パネルの左右両側部に取り付けるとともに、アームは前記各パネル支持部材の上下両部分にそれぞれ配置して可動自在に連係させ、かつ、上下の各アームはリンクによって連結した請求項１に記載の床置型空気調和機。
【請求項３】
左右両側部のパネル支持部材は連結軸によって連結した請求項１または２に記載の床置型空気調和機。
【請求項４】
電動機等の駆動部は左右いずれか一方のパネル支持部材を駆動するアームの一つに設け、このアームと他方のパネル支持部材を駆動する他方のアームとは出力軸を介して連係させた請求項１〜２のいずれか１項に記載の床置型空気調和機。
【発明の詳細な説明】
【技術分野】
【０００１】
本発明は床置型空気調和機に関する。
【背景技術】
【０００２】
一般に家庭で使用される床置型空気調和機は、筐体の前面パネルに吸込口、筐体上部に吹出口が設けられており、筐体前方から吸い込んだ室内空気を冷風または温風に変換して筐体上部から吹き出し冷房もしくは暖房するようになっている（例えば、特許文献１参照）。
【０００３】
図１８は特許文献１に記載されている床置型空気調和機を示し、この床置型空気調和機は筐体１０１の前面パネル１０２に吸込口１０３、筐体１０１の上面部に吹出口１０４が設けてあり、筐体前面の吸込口１０３より室内空気を吸引して冷風もしくは温風に変換し、筐体１０１上部の吹出口１０４より吹出して室内空調を行うようになっている。
【０００４】
しかしながら、上記従来の床置型空気調和機は前面パネル１０２に吸込口１０３を設けているためこの吸込口１０３のグリル１０５が目立ち、室内インテリアとのマッチング性が悪いものであった。
【０００５】
そこで出願人は、前面パネルは、吸込口無し、若しくは線状に細長い吸込口を設けただけの前面パネルとし、かつ、前記筐体の少なくとも側面部に開口を設けて、筐体の側面から空気を吸い込む構成とすることを試みている。
【先行技術文献】
【特許文献】
【０００６】
【特許文献１】特開２０１４−１４５５４２号公報
【発明の概要】
【発明が解決しようとする課題】
【０００７】
上記のように構成した床置型空気調和機は、その前面がフラットでシンプルなものとなるので、室内インテリアとのマッチング性が高いものとすることができる。
【０００８】
しかしながら、前記筐体の前面を覆う前面パネルは床置型空気調和機の前面パネルであるために大きく、かつ、重量も重いため、円滑に駆動させるのが困難であった。
【０００９】
本発明はこのような点に鑑みてなしたもので、大きくて重い前面パネルであっても円滑な駆動を可能とした床置型空気調和機の提供を目的としたものである。
【課題を解決するための手段】
【００１０】
本発明は、前記目的を達成するために、熱交換機能及び送風機能を備えた筐体と、前記筐体の前面を覆う前面パネルと、前記前面パネルを前方に移動させるパネル駆動手段とを備え、前記パネル駆動手段は、前記筐体側に取り付けたベース部材と、前記ベース部材に設けた電動機を有する駆動部と、前記駆動部によって回転駆動されるアームと、前記アームと可動自在に連係して当該アームの回動により前後方向にスライドするパネル支持部材とを備え、前記パネル支持部材は前面パネルの上下ほぼ全長にわたる長さとして前面パネルに取り付けた構成としてある。
【００１１】
これにより、前面パネルはその上下両端部分までが一つのパネル支持部材で支持され駆動される形となるので、大きくて重いパネルであっても電動機による駆動時にがたつくことなく円滑に前後動することができる。
【発明の効果】
【００１２】
本発明は、上記した構成によって、室内インテリアとのマッチング性を高めつつ大きくて重い前面パネルを円滑に駆動することができ、デザイン及び信頼性の高い床置型空気調和機とすることができる。
【図面の簡単な説明】
【００１３】
【図１】本発明の実施の形態１に係る床置型空気調和機の斜視図
【図２】同実施の形態１に係る床置型空気調和機の側面図
【図３】同実施の形態１に係る床置型空気調和機の運転時の斜視図
【図４】同実施の形態１に係る床置型空気調和機の運転時の側面図
【図５】同実施の形態１に係る床置型空気調和機の運転時の断面図
【図６】同実施の形態１に係る床置型空気調和機の吹出口部分を示す拡大斜視図
【図７】同実施の形態１に係る床置型空気調和機のパネル駆動手段設置状態を示すための側面図
【図８】同実施の形態１に係る床置型空気調和機の筐体の一部となるとなる前面枠部の斜視図
【図９】同実施の形態１に係る床置型空気調和機の筐体の一部となる前面枠部を背面側から見た正面図
【図１０】同実施の形態１に係る床置型空気調和機のパネル駆動手段を示す斜視図
【図１１】本発明の実施の形態１に係る床置型空気調和機のパネル駆動手段の駆動部の内部を示す斜視図
【図１２】同実施の形態１に係る床置型空気調和機のパネル駆動手段を部分的に拡大して示す説明図
【図１３】（ａ）同実施の形態１に係る床置型空気調和機のパネル閉方向移動時のパネル駆動手段を示す斜視図、（ｂ）同パネル閉方向移動時のパネル駆動手段の要部を示す拡大斜視図
【図１４】（ａ）同実施の形態１に係る床置型空気調和機のパネル開時のパネル駆動手段を示す斜視図、（ｂ）同パネル開時のパネル駆動手段の要部を示す拡大斜視図同実施の形態１に係る空気調和機の室内機の断面図
【図１５】同実施の形態１に係る床置型空気調和機の制御ブロック図
【図１６】同実施の形態１に係る床置型空気調和機の制御フロー図
【図１７】同実施の形態１に係る床置型空気調和機の吹出ルーバの制御フロー図
【図１８】従来の床置型空気調和機を示す斜視図
【発明を実施するための形態】
【００１４】
本発明の一態様による空気調和機は、熱交換機能及び送風機能を備えた筐体と、前記筐体の前面を覆う前面パネルと、前記前面パネルを前方に移動させるパネル駆動手段とを備え、前記パネル駆動手段は、前記筐体側に取り付けたベース部材と、前記ベース部材に設けた電動機を有する駆動部と、前記駆動部によって回転駆動されるアームと、前記アームと可動自在に連係して当該アームの回動により前後方向にスライドするパネル支持部材とを備え、前記パネル支持部材は前面パネルの上下ほぼ全長にわたる長さとして前面パネルに取り付けた構成としてある。
【００１５】
これにより、前面パネルはその上下両端部分までが一つのパネル支持部材で支持され駆動される形となるので、大きくて重いパネルであっても電動機による駆動時にがたつくことなく円滑に前後動することができる。
【００１６】
第２の形態は、第１の形態において、前記パネル支持部材は前面パネルの左右両側部に取り付けるとともに、アームは前記各パネル支持部材の上下両部分にそれぞれ配置して可動自在に連係させ、かつ、上下の各アームはリンクによって連結した構成としてある。
【００１７】
これにより、前面パネルの左右両側部に取り付けたパネル支持部材の上下部をリンクによって同期させて前後に駆動するので、前面パネルを円滑かつ安定して前後方向に駆動することができる。
【００１８】
第３の形態は、第１または第２の形態において、前記左右両側部のパネル支持部材は連結軸によって連結した構成としてある。
【００１９】
これにより、前面パネルはその左右端部の面が前後方向に傾くようなことなく駆動されることになり、より円滑かつ安定した駆動が可能となる。
【００２０】
第４の形態は、第１から第３の形態において、前記電動機等の駆動部は左右いずれか一方のパネル支持部材を駆動するアームの一つに設け、このアームと他方のパネル支持部材を駆動する他方のアームとは出力軸を介して連係させた構成としてある。
【００２１】
これにより、左右のアームによるパネル支持部材の駆動を一つの駆動部で行うことができ、しかもその駆動は同期させることができ、前面パネルの駆動を円滑なものとすることができるとともに、安価に提供することができる。
【００２２】
以下、本発明の実施の形態について、添付の図面を参照しながら説明する。なお、この実施の形態によって本発明が限定されるものではない。
（実施の形態１）
図１は本発明の実施の形態１に係る床置型空気調和機の斜視図、図２は同床置型空気調和機の側面図、図３は同床置型空気調和機の運転時の斜視図、図４は同床置型空気調和機の運転時の側面図、図５は同床置型空気調和機の運転時の断面図、図６は同床置型空気調和機の吹出口部分を示す拡大斜視図、図７は同床置型空気調和機のパネル駆動手段設置状態を示すための側面図、図８は同床置型空気調和機の筐体の一部となる前面枠部の斜視図、図９は同床置型空気調和機の筐体の一部となる前面枠部を背面側から見た正面図である。
【００２３】
図１〜図９において、本実施の形態の床置型空気調和機１は、その筐体２内に熱交換器３と送風機４を収容している。なお、この床置型空気調和機１は冷媒を圧縮機で圧縮しその冷媒の蒸発あるいは凝縮を利用して冷房あるいは暖房を行う。そして、上記床置型空気調和機１の筐体２は室内機として用いられ、室外機（図示せず）に接続して使用される。なお、この筐体２は室外機機能をも有する形態としてもよいものである。
【００２４】
筐体２は図２〜図４に示すように背面枠部２ａと前面枠部２ｂからなり、前面枠部２ｂの前面にはフィルター５（図５や図９参照）が着脱自在に設けてある。そして、このフィルター５の前方を覆う如く前記筐体２の前面に前面パネル６が着脱自在に設けてある。
【００２５】
また、筐体２の内部には、図５、図６に示すように、前記フィルター５と対向する部分に前記した熱交換器３が組み込んであり、その下流側に前記した送風機４が設けてある。
【００２６】
熱交換器３は、例えばフィンチューブ式の熱交換器で構成してあり、冷房運転時には蒸発器として作用し、暖房運転時には凝縮器として作用する。そして、室外機から流入する冷媒と筐体内に吸い込んだ室内空気との間で熱交換を行い室内の冷房もしくは暖房を行なう。
【００２７】
また、送風機４は、例えば軸流ファンで構成してあり、そのファンケーシング４ａの下流側にディフューザ７が設けてある。このディフューザ７は、熱交換後の冷風もしくは温風を筐体２の前方コーナ部に設けた吹出口８に案内する風路９を形成している。そして、上記熱交換器３で熱交換した後の冷風もしくは温風を吹出口８より室内に吹出し、室内の冷房若しくは暖房を行う。
【００２８】
ここで本実施の形態の床置型空気調和機は、上記筐体２前面の前面パネル６を、下部に線状に細長い吸込口１０を設けただけのフラット板で構成してある。上記吸込口１０はグリル等のない例えば上下１ｃｍ程度の幅の開口としてあり、主にデザイン的な意味合いを持たせている。なお、このような吸込口１０を設けることなく単なるフラット板としていてもよいものである。
【００２９】
そしてこの床置型空気調和機１は、図２に示すように、前記筐体２の側面に切り欠きを設けて空気吸込み用開口１１が形成してある。この空気吸込み用開口１１は前面枠部２ｂの一部を切り欠いて形成してあり、前面パネル６との間で常に開口した状態となっている。
【００３０】
更に、この実施の形態では、前記前面パネル６はパネル駆動手段１２（構造は後述する）によって前方にスライド移動するように構成してある。
【００３１】
すなわち、図３〜図７に示すように、運転時には筐体２の前方に移動して筐体２の前面との間に空気吸込み用間隙１４を形成し、前記筐体側面の空気吸込み用開口１１とともに空気を吸い込む構成としてある。
【００３２】
そして、図６、図７に示すように、上記前面パネル６の外周辺（左右上下の四辺）部分に形成される空気吸込み用間隙１４のうち、前面パネル６の上辺部分に形成される空気吸込み用間隙１４ａは、その吸込み抵抗が他の辺部分に形成される吸込み抵抗より大きくなる構成としてある。この例では図７に示すように筐体２の上側の空気吸込み用間隙１４ａとなる部分に前方への隆起部１５を設けて間隙を狭くし吸込み抵抗を大きくしてある。
【００３３】
また、前記筐体２内に吸い込んで熱交換した後の温風若しくは冷風の吹出口８は、既述したようにこの実施の形態では筐体２の前方コーナ部に設けてある。上記筐体２の前方コーナ部に設けた吹出口８の下端１６（図６参照）は、前記前方に移動した前面パネル６の上端縁６ａより上方に位置するように設定してある。さらに、上記吹出口８の下端１６の前端は前面パネル６が移動して形成される空気吸込み用間隙１４ａの間隙端縁１４ｃより前方に位置する構成としてある。
【００３４】
そして、上記吹出口８の上面と前面の開口にはそれぞれルーバ１７、１８が設けてあり、ルーバ駆動手段１９（図１５参照）によって開閉駆動されるようになっている。
【００３５】
上記ルーバ１７、１８のそれぞれは、筐体２の前方コーナ部で角状、この例では直角状に突き合わさる形で設けてあり、図６の矢印Ｘ、Ｙで示すように回動して吹出口８を開く。そして、上記ルーバ１７、１８のうち、前面のルーバ１８は、前面パネル６と連続的な平面を形成するように配置してある。
【００３６】
また、上記ルーバ１７、１８のうち、吹出口８の上面に設けたルーバ１７は、ルーバ開時その下面が前記ディフューザ７の風路９の内面と同一面状態となるように設定してあり、かつ、先端部内面には上向きの傾斜面１７ａを設けて吹き出し空気の流れを拡大させる構成としてある。
【００３７】
次に図１０〜図１４を用いて前記前面パネル６を駆動するパネル駆動手段１２の構造を説明する。
【００３８】
図１０はパネル駆動手段の斜視図、図１１は同パネル駆動手段の駆動部部分の内部を示す斜視図、図１２は同パネル駆動手段を部分的に拡大して示す説明図、図１３（ａ）は同パネル閉方向移動時のパネル駆動手段を示す斜視図、（ｂ）同パネル閉方向移動時のパネル駆動手段の要部を示す拡大斜視図、図１４（ａ）は同パネル開時のパネル駆動手段を示す斜視図、（ｂ）同パネル開時のパネル駆動手段の要部を示す拡大斜視図である。
【００３９】
図１０〜図１４において、このパネル駆動手段１２は、パネル駆動源となる駆動部２１と、この駆動部２１によって回転駆動されるアーム２２ａ、２２ｂ、２２ｃ、２２ｄと、上記アーム２２ａ、２２ｂ、２２ｃ、２２ｄと可動自在に連係して当該アーム２２ａ、２２ｂ、２２ｃ、２２ｄの回動により前後方向にスライドするパネル支持部材２３、２３と、前記筐体２に取り付け固定されてパネル支持部材２３、２３を前後方向にスライド自在に保持するベース部材２４、２４とを主要部品として構成してある。
【００４０】
上記パネル支持部材２３、２３は左右二つあり、当該パネル支持部材２３、２３の上下部分にアーム２２ａ、２２ｂ、２２ｃ、２２ｄが可動自在に連係させてある。このパネル支持部材２３、２３と各アーム２２ａ、２２ｂ、２２ｃ、２２ｄとの連係は、パネル支持部材２３、２３の上下部分に縦長の案内溝２３ｂを設け、この案内溝２３ｂに各アーム２２ａ、２２ｂ、２２ｃ、２２ｄの端部のピン２６を挿入することによって行っている。そして、上記パネル支持部材２３、２３の上下一対のアーム２２ａと２２ｂ、２２ｃと２２ｄとはそれぞれリンク２５、２５によって連結してある。
【００４１】
リンク２５、２５はその略中央部分を筐体側部材となるベース部材２４、２４によって上下動自在に保持され、かつ、パネル支持部材２３、２３はその略中央部分に設けたベース部材嵌合部２３ａを前記ベース部材２４、２４に嵌合して前後方向にスライドする如く保持されている。
【００４２】
そして、上記アーム２２ａ、２２ｂ、２２ｃ、２２ｄのうち一つのアーム２２ａは駆動部２１の駆動軸２１ａに連結してあり、更に上記駆動軸２１ａは出力軸２７を介してその他端を他方のパネル支持部材２３のアーム２２ｃ、２２ｄの一つ２２ｃと連結し、動力を伝達するように構成してある。
【００４３】
これにより、駆動部２１の駆動軸２１ａが回転するとリンク２５、２５が上下動し、これに伴い各アーム２２ａ、２２ｂ、２２ｃ、２２ｄが回動し、左右の各パネル支持部材２３、２３が前後方向にスライドするようになる。
【００４４】
ここで、上記パネル支持部材２３、２３は前面パネル６の上下ほぼ全長にわたる長さとして前面パネル６の両側部にそれぞれ着脱自在に取り付けてある。
【００４５】
また、左右両側部のパネル支持部材２３、２３は連結軸２８によって連結して一体化してある。
【００４６】
また、前記ベース部材２４、２４は筐体２の側面部にビス等によって取り付けてあり、これによってパネル駆動手段１２全体が筐体２の空気吸込み用開口１１部分に設置される形となる。すなわち、パネル駆動手段１２は筐体２の前面部と前面パネル６との間に収納設置された形となる。
【００４７】
なお、駆動部２１は、図１１に示すように電動機２１ｂと、電動機の回転を減速するギヤ２１ｃを備えたギヤボックス２１ｄとを備え、その駆動軸２１ａにアーム２２ａが嵌合連結してある。そして、上記アーム２２ａの他端側部分にリンク２５が連結部２５ａにより連結してある。
【００４８】
また、パネル支持部材２３、２３はベース部材嵌合部２３ａの上下部分にコロ２９が設けてあり、ベース部材２４、２４に対する前後方向のスライドが円滑なものとなるようにしてある。
【００４９】
図１５は上記構成からなる床置型空気調和機の制御ブロック図である。この床置型空気調和機は、送風機４と圧縮機３０を動作させて全体の空調動作を制御する制御部３１と、パネル駆動制御部３２及びルーバ駆動制御部３３を備えている。そして、運転スイッチ３４による運転指示に基づき制御部３１が調和機全体の制御を司るとともに、温度検出部３５からの出力も得てパネル駆動制御部３２及びルーバ駆動制御部３３を介しパネル駆動手段１２とルーバ駆動手段１９を駆動し、前面パネル６とルーバ１７、１８を可動するようになっている。
【００５０】
次に上記のように構成した床置型空気調和機について、以下その動作と作用効果を説明する。
【００５１】
まず、動作を説明すると、本実施の形態の床置型空気調和機は、非運転時、図１、図２に示すような外観をなし、前面パネル６は筐体２の前面部を覆った状態となっている。
【００５２】
このような状態で図１６の制御フローに示すように運転スイッチ３４がオンＳ１されると、制御部３１はパネル駆動制御部３２を介して前面パネル６を開駆動Ｓ２し、前面パネル６を前方にスライド移動させる。これにより、前面パネル６の外周辺部と筐体２の前面部との間に空気吸込み用間隙１４が形成される。
【００５３】
次に、制御部３１はルーバ駆動制御部３３を介してルーバ１７、１８を駆動Ｓ３し、吹出口８の二つのルーバ１７、１８を開駆動する。
【００５４】
その後、冷媒を圧縮する圧縮機３０を駆動Ｓ４するとともに送風機４も駆動Ｓ５し、空気吸込み用開口１１と空気吸込み用間隙１４の両方から筐体２内に室内空気を吸い込んで熱交換器３で冷媒と熱交換させ、吹出口８より吹き出して室内を冷房又は暖房する。
【００５５】
上記のように冷房あるいは暖房を開始するが、例えば冷房時、室温が設定温度より高い（Ｓ６のＹ）と、圧縮機３０と送風機４を強Ｓ７、前面パネル６の前方への移動量を大Ｓ８、ルーバ１７、１８の角度も大Ｓ９として、大能力運転Ｓ１０する。そして、室温が設定温度（Ｓ６のＮ）になると、圧縮機と送風機４を弱に切り替えＳ１１、前面パネル６の前方への移動量を小Ｓ１２、ルーバ１７、１８の角度も小Ｓ１３として、小能力運転Ｓ１４する。
【００５６】
そして、上記運転中に運転スイッチ３４がオフされ運転オフ信号がある（Ｓ１５のＹ）と、前面パネル６及びルーバ１７、１８を閉じるＳ１６、Ｓ１７とともに、圧縮機３０と送風機４を停止させＳ１８、Ｓ１９、空調運転を停止する。
【００５７】
次に、作用効果を説明する。
【００５８】
本実施の形態の床置型空気調和機は、上記したように、非運転時、前面パネル６は筐体２の前面部側に位置していてこれを覆った状態となっている。したがって、その外観は図１、図２からも理解できるようにフラットかつシンプルで端正なものとなり、室内インテリアとのマッチング性が高いものとなる。
【００５９】
また、調和機としての前後方向の設置寸法は小さなものとなる。よって、調和機前方の空間を広く使用することができる。すなわち、床置型特有の課題であった調和機前方の空間を広くすることができ、使い勝手の良いものとすることができる。
【００６０】
一方、この床置型空気調和機は、前面パネル６に設けた吸込口１０が線状に細長くて開口面積が小さいものとなっているので、運転時に空気の吸込み不足を起こすことが心配される。
【００６１】
しかしながら、この床置型空気調和機は、運転時には前面パネル６が前方に移動して、前面パネル６の外周辺部分と筐体２の前面との間に空気吸込み用間隙１４を形成する。
【００６２】
したがって、筐体２の前面パネル６の吸込口１０が線状に細長く小さなものであって空気の吸込みがほとんどできなくても、前面パネル６の外周辺部分から空気を吸い込むので筐体２内には十分に空気を供給することができ、空気不足等の心配なく運転することができる。即ち、フラットかつシンプルで端正な外観としつつ吸込み空気量を確保することができる。つまり意匠のシンプル化と空調性能の確保を両立することができる。
【００６３】
加えて本実施の形態では、前記筐体２の側面には別途常開型の空気吸込み用開口１１を設けてある。したがって、前記前面パネル６と筐体２との間に形成される空気吸込み用間隙１４に加え当該常開型の空気吸込み用開口１１からも空気を吸い込むようになる。よって、筐体２内への空気の吸込み量は更に十分なものとなり、能力の大型化にも対応することができる。
【００６４】
しかも、上記常開型の空気吸込み用開口１１を備えていることによって、前記前面パネル６と筐体２との間に形成される空気吸込み用間隙１４を、筐体側面に設けた常開型の空気吸込み用開口１１の面積分だけ小さいものとすることもできる。これによって、前面パネル６の前方への移動量を少ないものとすることができる。
【００６５】
したがって、運転時においても床置型特有の課題である調和機前方空間の確保、すなわち調和機の前方空間を広く確保することができる。つまり、運転時の空気吸込み性能を確保しつつ、非運転時、運転時とも床置型特有の課題である調和機前方の空間を広くすることができ、使い勝手の良いものとすることができる。
【００６６】
また、前面パネル６と筐体２との間に形成される空気吸込み用間隙１４と常開型の空気吸込み用開口１１の両方から空気を吸い込むので、トータル的な空気の吸込み抵抗を少ないものとすることができる。よって、その分送風機４の駆動電力を低減することができ、省エネ性を高めることができる。
【００６７】
なお、上記空気吸込み用開口１１は筐体側面に設けてあるので、意匠性に大きな影響を与えるようなことがないとともに、前方から見たときのフラットかつシンプルで端正なイメージを損なうようなこともない。
【００６８】
また、本実施の形態において、前記前面パネル６は、例えば冷房時、室温が設定温度より高くて大能力で運転している時には、前面パネル６の移動量を大きくし、室温が低くて小能力で運転している時には、前面パネル６の移動量を少なくするようにしてある。
【００６９】
したがって、筐体２内への空気の吸込みは運転能力に応じて必要とされる空気の量を過不足なく確保することができる。しかも、前面パネル６の前方への移動量も必要最小限の少ないものとすることができ、運転時における調和機前方空間の確保をより効果的に行うことができる。すなわち、運転時の空気吸込み性能を確保しつつ床置型特有の課題である調和機前方空間を非運転時にはさらに広く確保することができ、使い勝手の良いものとすることができる。
【００７０】
なお、この例では能力切り替えは簡略化のため大小二段切り替えで説明しているが、これに限られるものではない。
【００７１】
次に、本発明の特徴であるパネル駆動機構の動作について説明する。本実施の形態の床置型空気調和機は、既述した通り床置型空気調和機であるがゆえにその前面パネル６が壁掛け式空気調和機の前面パネルに比べると大きくて重いものとなっている。したがって、上記前面パネル６の前方への円滑なスライド移動は困難なものとなる。
【００７２】
しかしながら本実施の形態のパネル駆動手段１２は、駆動部２１によって前後方向にスライドさせるパネル支持部材２３、２３を前面パネル６の上下ほぼ全長にわたる長さとしてある。
【００７３】
したがって、前面パネル６はその上下両端部分までがパネル支持部材２３、２３によって保持され駆動される形となるので、大きくて重いパネルであっても電動機２１ｂによる駆動時にがたつくことなく円滑にスライド移動させることができる。
【００７４】
また、上記パネル支持部材２３、２３を前後方向にスライドさせるアーム２２ａ、２２ｂ、２２ｃ、２２ｄは、前記各パネル支持部材２３、２３の上下両部分にそれぞれ配置して可動自在に連係させ、かつ、上記各パネル支持部材２３、２３を駆動する上下のアーム２２ａと２２ｂ、２２ｃと２２ｄはリンク２５、２５によって連結してある。
【００７５】
したがって、上記上下のアーム２２ａと２２ｂ、２２ｃと２２ｄはリンク２５、２５による連結により同期して前後に移動するようになる。これによって、前面パネル６の左右両側部に取り付けたパネル支持部材２３、２３は安定して前後に動き、前面パネル６を円滑かつ安定した状態で前後方向に駆動することができる。
【００７６】
更に、上記左右両側部のパネル支持部材２３、２３は連結軸２８によって連結してある。
【００７７】
したがって、前面パネル６は幅広くてもその左右端部の面が前後逆方向に傾くようなことなく駆動されることになり、より円滑かつ安定した動作を行うようになる。
【００７８】
また、前記駆動部２１は各アーム２２ａ、２２ｂ、２２ｃ、２２ｄのいずれか一つ、すなわち左右いずれか一方のパネル支持部材２３を駆動するアーム２２ａに設け、このアーム２２ａと他方のパネル支持部材２３を駆動する他方のアーム２２ｃとは出力軸２７で連係させてある。
【００７９】
したがって、左右のアーム２２ａと２２ｂ、２２ｃと２２ｄによるパネル支持部材２３、２３の駆動を一つの駆動部２１で行うことができ、しかもその駆動は同期させることができ、前面パネル６の駆動を円滑なものとすることができる。しかも安価に提供することができる。
【００８０】
以上のように本実施の形態の床置型空気調和機は、大きくて重い前面パネル６であってもこれを円滑に駆動することができるが、更に次のような効果も有する。
【００８１】
すなわち、本実施の形態の床置型空気調和機は、前面パネル６の移動によってパネル上辺部分に形成される空気吸込み用間隙１４ａが筐体上部に設けてある吹出口８と隣接する形となる。その結果、筐体上部に設けてある吹出口８から吹き出す空気の一部が、前面パネル６の上辺に形成される空気吸込み用間隙１４ａより吸いこまれるショートサーキットが生じ、効率が低下することが懸念される。
【００８２】
そのため本実施の形態では、前記筐体２の前方コーナ部に設けた吹出口８の下端１６は、前方に移動した前面パネル６の上端縁６ａより上方に位置する構成としてある。
【００８３】
これにより、吹出口８の下端１６と前方に移動した前面パネル６の上端縁６ａとの間に上下方向の段差が形成されるので、吹出口８から吹き出した空気が前面パネル６の上辺部分に形成される空気吸込み用間隙１４ａへと巻き込まれてショートサーキットするのを低減もしくは防止することができる。これによりショートサーキットによる効率低下を抑制することができ、効率の高い床置型空気調和機とすることができる。
【００８４】
また、前記吹出口８の下端１６の前端を空気吸込み用間隙１４ａの間隙縁前端１４ｃより前方に位置する構成としてある。
【００８５】
これにより、吹出口８からの吹出空気は空気吸込み用間隙１４ａの間隙縁前端１４ｃより前方から吹き出すようになり、当該吹出空気が空気吸込み用間隙１４ａへと巻き込まれてショートサーキットする確率をより少なくすることができる。
【００８６】
また、前記前方に移動した前面パネル６の外周辺部分に形成される空気吸込み用間隙１４は、前面パネル６の上辺部分に形成される空気吸込み用間隙１４ａの吸込み抵抗が他の辺部分に形成される吸込み抵抗より大きくなる構成としてある。
【００８７】
これにより、前面パネル６の外周辺部分に形成される空気吸込み用間隙１４から吸い込まれる空気は、主に左右両側部と下部の空気吸込み用間隙１４から吸い込まれるような形となる。したがって、前面パネル６上辺部分の空気吸込み用間隙１４ａから吸い込れる空気の吸込み流速は遅いものとなり、吹出口８からの吹出し空気を巻き込む確率を更に少ないものとすることができる。
【００８８】
また、この床置型空気調和機は、上記筐体２の吹出口８にはその上面と前面にそれぞれルーバ１７、１８を設け、上記ルーバ１７、１８のそれぞれは筐体２の前方コーナ部で角状に突き合わせるとともに、前面パネル６は上記前面のルーバ１７と連続的な平面を形成するフラット板としてある。
【００８９】
これにより、吹出口８の上面と前面に設けた二枚のルーバ１７、１８によって吹出空気の吹出方向を確実に変更することができる。しかも、前記両ルーバ１７、１８の前側部分が角状に突き合わさっていて前面パネル６が前面のルーバ１８と連続する平面となるので、調和機前面は前面パネル６のフラット感を生かして調和機前面全体をよりフラットで角を持つ端正なイメージとすることができ、室内インテリアによりマッチする意匠とすることができる。
【００９０】
また、前記吹出口８の上面と前面に設けたルーバ１７、１８はルーバ駆動手段１９（図１５参照）によって駆動するが、ルーバ１７、１８を開くときにはまず上面のルーバ１７を開駆動し、その後前面のルーバ１８を開駆動する構成としてある。
【００９１】
図１７は上記ルーバ駆動手段１９によるルーバ１７、１８の駆動を示し、制御部３１よりルーバ開信号がある（Ｓ２１のＹ）と、上面のルーバ１７を開駆動Ｓ２２する。そして、その後所定時間が経過、例えば１〜２秒経過する（Ｓ２３のＹ）と前面のルーバ１８を開駆動Ｓ２４する。
【００９２】
このように吹出口８の上面と前面に設けたルーバ１７、１８は上面のルーバ１７を開駆動した後前面のルーバ１８を開駆動するので、各ルーバを同時に開駆動する場合に生じる動作干渉による作動不良を防止することができる。したがって、吹出口８の前方コーナ部を角状として前面パネル６と連続する端正な外観とした意匠性の高い床置型空気調和機としていてもルーバ１７、１８の開動作をスムーズなものとすることができる。
【００９３】
逆に、ルーバ１７、１８を閉じる時、すなわちルーバ閉信号がある（Ｓ２５のＹ）と、まず前面のルーバ１８を閉駆動Ｓ２６する。そして、その後所定時間が経過、この場合は１秒から２秒程度経過する（Ｓ２７のＹ）と上面のルーバ１７を閉駆動Ｓ２８する。
【００９４】
これにより、各ルーバを同時に閉駆動する場合に生じる動作干渉による作動不良を防止して、ルーバ１７、１８を開くときと同様、スムーズにルーバ１７、１８を閉じることができる。
【００９５】
また、上記吹出口８の上面に設けたルーバ１７は、ルーバ開時その下面が筐体２内の風路９と同一面上となるディフューザ形状とし、かつ、先端部は上向き傾斜面１７ａとして吹き出し空気の流れを拡大させる構成としてある。
【００９６】
これにより、送風効率を向上しつつ風向変更度合いを更に大きなものとすることができ、低位置に設置される床置型空気調和機であってもより快適な空調を実現することができる。
【００９７】
以上説明したように本実施の形態の床置型空気調和機は、熱交換機能及び送風機能を備えた筐体２と、筐体２の前面を覆う前面パネル６と、前記前面パネル６を前方に移動させるパネル駆動手段１２とを備え、前記パネル駆動手段１２は、前記筐体側に取り付けたベース部材２４と、前記ベース部材２４に設けた電動機２１ｂを有する駆動部２１と、前記駆動部２１によって回転駆動されるアーム２２ａ、２２ｂ、２２ｃ、２２ｄと、前記アーム２２ａ、２２ｂ、２２ｃ、２２ｄと可動自在に連係して当該アーム２２ａ、２２ｂ、２２ｃ、２２ｄの回動により前後方向にスライドするパネル支持部材２３とを備え、前記パネル支持部材２３は前面パネルの上下ほぼ全長にわたる長さとして前面パネル６に取り付けた構成としてある。
【００９８】
これにより、前面パネル６はその上下両端部分までが一つのパネル支持部材２３で支持され駆動される形となるので、大きくて重いパネルであっても電動機２１ｂによる駆動時にがたつくことなく円滑に前後動することができる。
【００９９】
以上、本発明に係る空気調和機について、上記実施の形態を用いて説明してきたが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【０１００】
本発明は、上記実施の形態の説明から明らかなように、室内インテリアとのマッチング性を高めつつ大きくて重い前面パネルを円滑に駆動することができ、デザイン及び信頼性の高い床置型空気調和機とすることができる。よって商業施設や一般家庭等で使用される床置型の空気調和機として有用である。
【符号の説明】
【０１０１】
１  床置型空気調和機
２  筐体
３  熱交換器（熱交換機能）
４  送風機（送風機能）
６  前面パネル
８  吹出口
１０  吸込口
１１  空気吸込み用開口
１２  パネル駆動手段
１４、１４ａ  空気吸込み用間隙
１７、１８  ルーバ
１９  ルーバ駆動手段
２１  駆動部
２１ａ  駆動軸
２１ｂ  電動機
２２ａ、２２ｂ、２２ｃ、２２ｄ  アーム
２３  パネル支持部材
２３ａ  ベース部材嵌合部
２３ｂ  案内溝
２４  ベース部材
２５  リンク
２６  ピン
２７  出力軸
２８  連結軸
３１  制御部
３２  パネル駆動制御部
３３  ルーバ駆動制御部
【図１】
2020193802.tif 000003
【図２】
2020193802.tif 000004
【図３】
2020193802.tif 000005
【図４】
2020193802.tif 000006
【図５】
2020193802.tif 000007
【図６】
2020193802.tif 000008
【図７】
2020193802.tif 000009
【図８】
2020193802.tif 000010
【図９】
2020193802.tif 000011
【図１０】
2020193802.tif 000012
【図１１】
2020193802.tif 000013
【図１２】
2020193802.tif 000014
【図１３】
2020193802.tif 000015
【図１４】
2020193802.tif 000016
【図１５】
2020193802.tif 000017
【図１６】
2020193802.tif 000018
【図１７】
2020193802.tif 000019
【図１８】
2020193802.tif 000020